(57)【要約】      （修正有）【課題】テレビ視聴可能な携帯電話機において、周囲の人に覗かれる心配なくTVを視聴できるようにすることを目的とする。【解決手段】表示部を有する上部筐体と操作キー部を有する下部筐体を有し、該上部筐体と該下部筐体がヒンジ部を介して回動可能に結合された携帯電話機であって、該上部筐体と下部筐体の側部を上記遮蔽幕装置の凹部に係合することにより、上記筐体係合部を上部筐体及び下部筐体の両側面に係合し、遮蔽幕部が表示部の左右両側面を覆うように配置し、上部筐体と下部筐体の回動に応じて、遮蔽幕部の蛇腹構造が伸張する携帯電話機。【選択図】図１
2005005830.tif 000002
【特許請求の範囲】
【請求項１】
表示部を有する上部筐体と操作キー部を有する下部筐体が回動可能に結合された構造を有し、蛇腹構造を持つ２つの遮蔽幕部が、上部筐体にその一端を取り付け、下部筐体をその反対側端を取り付けて、上部筐体及び下部筐体の左右を覆うように配置され、上部筐体と下部筐体が回動するに応じて該遮蔽幕部が伸縮することを特徴とした折り畳み式携帯電話機。
【請求項２】
２つの直方体形状の筐体係合部と、該筐体係合部間に取り付けられた蛇腹構造を有する遮蔽幕部を有し、該筐体係合部は、その長手方向に沿って長く形成された凹部を有する構造を持つ遮蔽幕装着装置。
【請求項３】
表示部を有する上部筐体と操作キー部を有する下部筐体を有し、該上部筐体と該下部筐体がヒンジ部を介して回動可能に結合された携帯電話機であって、
該上部筐体と下部筐体の側部を上記遮蔽幕装置の凹部に係合することにより、上記筐体係合部を上部筐体及び下部筐体の両側面に係合し、遮蔽幕部が表示部の左右両側面を覆うように配置し、
上部筐体と下部筐体の回動に応じて、遮蔽幕部の蛇腹構造が伸張する携帯電話機。
【請求項４】
上記遮蔽幕が、柔軟な素材で形成されることを特徴とする請求項１乃び３に記載の携帯電話機。
【請求項５】
上記遮蔽幕が、柔軟な素材で形成されることを特徴とする請求項２に記載の遮蔽幕装着装置。
【発明の詳細な説明】
【０００１】
【産業上の利用分野】
本発明は、テレビ放送の受信機能を有する折り畳み式の携帯電話に関する。
【０００２】
【従来の技術】
特開平６−１６７５８４公報に記載されているように、図１０に示す如く、液晶テレビ等の携帯用映像表示装置に装着する折り畳み式の遮光フードが開示されており、折り畳んだ状態から片手のみを使ってワンタッチで開けられる構造となっている。この従来技術の概要は、以下の通りである。
【０００３】
フレーム（４２）に対して上下左右の４枚のカバー（４７）（４６）（４５）（４３）を各々開閉自在に組み付けてなる折り畳み式の遮光フード（４８）において、カバーのうち少なくとも３枚のカバー（４７）（４６）（４３）を開方向に各々付勢するスプリングを設けている。開方向に付勢される３枚のカバーのうち折り畳み状態で表側になる一枚のカバー（４７）が、残る１枚のカバー（４５）に対して、折り畳み状態で表側から重なるラップ部（４４）を設けている。開方向に付勢されるカバーのうち折り畳み状態で表側になる１枚のカバー（４７）を、折り畳み状態でフレーム（４２）側に保持する係止部（４１）を設けている。
【０００４】
【特許文献】
特開平６−１６７５８４号公報
【０００５】
【発明が解決しようとする課題】
テレビ受信機能を有する携帯電話においては、上記のような従来技術の方法を使用することはできない。特に折り畳み式の携帯電話においては、折り畳み状態では表示部が内側になるため、従来のような構造の遮光フードを取り付けることはできない。
【０００６】
しかし、携帯電話でテレビを視聴する時に、個人のみで楽しみ、周囲の人には見られたくない場合がある。
【０００７】
本願発明は、折り畳み式携帯電話でテレビを視聴するときに、周囲の人にその内容を見られることなく視聴することができる構造を提供することを目的とする。
【０００８】
【課題を解決するための手段】
本願発明は、上記問題に鑑みなされたものであり、表示部を有する上部筐体と操作キー部を有する下部筐体が回動可能に結合された構造を有し、蛇腹構造を持つ２つの遮蔽幕部が、上部筐体にその一端を取り付け、下部筐体をその反対側端を取り付けて、上部筐体及び下部筐体の左右を覆うように配置され、上部筐体と下部筐体が回動するに応じて該遮蔽幕部が伸縮することを特徴とした折り畳み式携帯電話機である。
【０００９】
また、本願発明は、２つの直方体形状の筐体係合部と、該筐体係合部間に取り付けられた蛇腹構造を有する遮蔽幕部を有し、該筐体係合部は、その長手方向に沿って長く形成された凹部を有する構造を持つ遮蔽幕装着装置でもある。
【００１０】
さらに本願発明は、表示部を有する上部筐体と操作キー部を有する下部筐体を有し、該上部筐体と該下部筐体がヒンジ部を介して回動可能に結合された携帯電話機であって、該上部筐体と下部筐体の側部を上記遮蔽幕装置の凹部に係合することにより、上記筐体係合部を上部筐体及び下部筐体の両側面に係合し、遮蔽幕部が表示部の左右両側面を覆うように配置し、上部筐体と下部筐体の回動に応じて、遮蔽幕部の蛇腹構造が伸張する携帯電話機でもある。
【００１１】
【発明の実施の形態】
以下、本発明の実施例を、図面に沿って具体的に説明する。
【００１２】
本願発明の遮蔽幕装着装置の構造を図２、図３に示す。図２は本発明による実施例の遮蔽幕装着装置の斜視図であり、図３は本発明の実施例の遮蔽幕装着装置の正面図である。本発明の遮蔽幕装着装置は、携帯電話の筐体に係合する筐体係合部（６）（６）、図３に示す如く蛇腹構造を有し、この筐体係合部間に取り付けられた遮蔽幕部（５）から構成されている。この筐体係合部（７）は、その長手方向に沿って中央部に筐体係合溝部（７）を有している。
【００１３】
次に、図１に、図２及び図３に示した本発明の遮蔽幕装着装置を折り畳み式携帯電話に取り付けた状態の図を示す。図１において、携帯電話（１）は、アンテナと表示部（２）を有する上部筐体とキー操作部（３）を有する下部筐体をヒンジ部（４）が回動可能に結合している。この上部筐体と下部筐体のそれぞれを、遮蔽幕装着装置の２つの筐体係合部（６）の筐体係合溝部（７）にそれぞれ係合する。
【００１４】
このように遮蔽幕装着装置を図１に示す如く、携帯電話（１）の左右両端に取り付けることにより、遮蔽幕部（５）が携帯電話（１）の表示部（２）を横から覗けないように隠すように配置される。
【００１５】
図１では、携帯電話（１）は、開いた状態を描いているため、遮蔽幕部（５）は、その蛇腹構造を伸ばした状態になっている。また、携帯電話を閉じる時も、遮蔽幕部（５）の蛇腹構造が折り畳まれるため、この遮蔽幕取り付けても携帯電話（１）は、遮蔽幕を取り付けていない場合と同様に容易に開閉することができる。
【００１６】
従って、携帯電話（１）の表示部（２）でテレビ放送或いは携帯電話内に記録された番組などの映像を視聴する場合に、周囲の人に覗かれることなく視聴することができる。
【００１７】
また、遮蔽幕部（５）を布やビニール、ゴムなどの柔軟な材料で作成することにより、携帯電話（１）を電話として使用する場合も、容易に遮蔽幕部（５）が折れ曲がり、違和感なく使用することが可能である。
【００１８】
上記実施例では、遮蔽幕を着脱可能に構成する実施例について説明したが、本願発明はこれに限定されるものではなく、上記遮蔽幕部（５）を図１と同様の構造になるように、携帯電話（１）の筐体に直接取り付けても構わない。
【００１９】
【発明の効果】
本発明は、表示部を有する上部筐体と操作キー部を有する下部筐体が回動可能に結合された構造を有し、蛇腹構造を持つ２つの遮蔽幕部が、上部筐体にその一端を取り付け、下部筐体をその反対側端を取り付けて、上部筐体及び下部筐体の左右を覆うように配置され、上部筐体と下部筐体が回動するに応じて該遮蔽幕部が伸縮することを特徴とした折り畳み式携帯電話機である。
【００２０】
本発明により、携帯電話の表示部を周囲の人に覗かれることなく見ることができるようになった。従って、携帯電話の表示部を使ってテレビ放送を視聴したり、携帯電話内に記録された番組等の映像を、周囲の人の目を気にせず楽しむことができるなった。また、携帯電話の開閉を遮蔽幕部の伸縮が連動するため、遮蔽幕部をわざわざに伸縮させる手間も必要もない。
【００２１】
また、本発明は、２つの直方体形状の筐体係合部と、該筐体係合部間に取り付けられた蛇腹構造を有する遮蔽幕部を有し、該筐体係合部は、その長手方向に沿って長く形成された凹部を有する構造を持つ遮蔽幕装着装置である。
【００２２】
本発明の遮蔽幕装着装置は、折り畳み式携帯電話に対して着脱可能である。
【００２３】
また、本発明は、表示部を有する上部筐体と操作キー部を有する下部筐体を有し、該上部筐体と該下部筐体がヒンジ部を介して回動可能に結合された携帯電話機であって、該上部筐体と下部筐体の側部を上記遮蔽幕装置の凹部に係合することにより、上記筐体係合部を上部筐体及び下部筐体の両側面に係合し、遮蔽幕部が表示部の左右両側面を覆うように配置し、上部筐体と下部筐体の回動に応じて、遮蔽幕部の蛇腹構造が伸張する携帯電話機である。
【００２４】
従って、本発明により、携帯電話の表示部を周囲の人に覗かれることなく見ることができるようになった。従って、携帯電話の表示部を使ってテレビ放送を視聴したり、携帯電話内に記録された番組等の映像を、周囲の人の目を気にせず楽しむことができるようになった。また、携帯電話の開閉を遮蔽幕部の伸縮が連動するため、遮蔽幕部をわざわざに伸縮させる手間も必要がもない。
【００２５】
さらに、本発明は、上記遮蔽幕を柔軟な素材で形成することができ、そうすることによって、本願発明の携帯電話機や遮蔽幕装着装置をとりつけた携帯電話機を電話として使用する場合も、遮蔽幕部が柔軟に折れ曲がるようになる。従って、携帯電話の使用者は、従来の携帯電話と比べても違和感なく電話をかけることができるようになった。
【００２６】
画像のアスペクト比を判別するアスペクト判別部と、該アスペクト判別部によって判別されたアスペクト比に応じて画面上の画像の表示位置を決定する画像表示処理部を有し、表示画像の変化に応じて画像表示位置を移動させることを特徴とする画像表示処理装置である。
【００２７】
従って、レターボックス方式やサイドバンド方式などの画像表示方法を長時間使用すると、液晶パネルや有機ＥＬなどの表示部において焼き付きが生じて、次に異なるアスペクト比の画像や表示部全体を使って画像を表示した時に画像上に輝度の濃淡が生じるという問題を軽減することができる。
【００２８】
また、本発明は、画像のアスペクト比を判別するアスペクト判別部と、該アスペクト判別部によって判別されたアスペクト比に応じて画面上の画像の表示位置を決定する画像表示処理部を有し、視聴する番組を変更したときに画像表示位置を移動させることを特徴とする画像表示処理装置である。
【００２９】
特には、テレビ放送受信部を有し、視聴するチャンネルを変更することによって視聴する番組を変更し、その際画像表示位置を移動させることができる。
【００３０】
従って、チャンネル変更時などの番組を切り替える際に、画像の表示位置をずらしていくため、上記の如く表示部の焼き付きを軽減できるだけでなく、その対策としての画像表示位置の移動も、視聴者に違和感を感じさせずに実行することが可能となった。
【図面の簡単な説明】
【図１】本発明の概要図
【図２】本発明の実施例の斜視図
【図３】本発明の実施例の正面図
【図４】従来技術の概要図
【符号の説明】
１        携帯電話
２        表示部
３        操作キー部
４        ヒンジ部
５        遮蔽幕部
６        筐体係合部
７        筐体係合溝部
４１係止部
４２    フレーム
４３右カバー
４４    ラッブ部
４５    下カバー
４６    左カバー
４７    上カバー
４８    遮光フード
【図１】
2005005830.tif 000003
【図２】
2005005830.tif 000004
【図３】
2005005830.tif 000005
【図４】
2005005830.tif 000006